(57)【要約】      （修正有）【課題】磁路干渉を減少させることを可能にするモーターの構造を提供する。【解決手段】ハウジング１０は第一殻蓋１１と第二殻蓋１２とにより構成され、かつ収容空間と導通接続部の逃げ孔を有する。固定子３０は中空の第一ヨーク３１と第二ヨーク３２を有し、第一ヨーク３１と第二ヨーク３２は接続部、互いに間隙を置くフェンス部とフェンス部から一側に突出して形成された爪部を別々に有する。導通接続部３３は端子座と端子３３３を有する。二つのコイル３５は第一ヨーク３１、第二ヨーク３２及びハウジング１０の第一殻蓋１１と第二殻蓋１２の間に装着され、その巻き線の先端が導通接続部３３の端子３３３に別々に接続される。回転子５０は磁石５１に伝動軸５３を嵌めることによって構成され、かつ第一ヨーク３１と第二ヨーク３２を貫通するため、固定子３０に対して回転できる。【選択図】図１
0003145896.tif 000002
【実用新案登録請求の範囲】
【請求項１】
第一殻蓋と第二殻蓋が合わさることによって構成され、かつ収容空間及び導通接続部の逃げ孔を有するハウジングと、
第一ヨーク、第二ヨーク、導通接続部および二つのコイルを有し、そのうちの前記第一ヨークと前記第二ヨークは中空を呈しかつ金属の導磁材質から構成され、かつ端子座の接続部、互いに間隙を置くフェンス部及び前記フェンス部から一側に突出して形成された若干の爪部とを別々に有し、前記導通接続部は端子座および若干の端子を有し、前記二つのコイルは前記第一ヨーク、前記第二ヨーク及び前記ハウジングの前記第一殻蓋と前記第二殻蓋の間に装着され、その巻き線の先端が前記導通接続部の前記端子に別々に接続される固定子と、
磁石に伝動軸を嵌めることによって構成され、かつ前記固定子の前記第一ヨークと前記第二ヨークを貫通するため、前記固定子に対して回転することが可能である回転子と、を備えることを特徴とする、磁路干渉を減少させることを可能にするモーターの構造。
【請求項２】
前記二つのコイルは、前記固定子の前記第一ヨークと前記第二ヨークの爪部の外周に嵌合され、前記ハウジングの前記第一殻蓋と前記第二殻蓋は前記二つのコイルに別々に嵌合される若干の爪部を有することを特徴とする、請求項１に記載の磁路干渉を減少させることを可能にするモーターの構造。
【請求項３】
第一殻蓋と第二殻蓋が合わさることによって構成され、かつ収容空間及び導通接続部の逃げ孔を有し、そのうちの前記第一殻蓋と前記第二殻蓋は若干の爪部を別々に有するハウジングと、
第一ヨーク、第二ヨーク、導通接続部および二つのコイルを有し、そのうちの前記第一ヨークと前記第二ヨークは中空を呈しかつ金属の導磁材質から構成され、かつ端子座の接続部と互いに間隙を置くフェンス部とを別々に有し、前記導通接続部は端子座および若干の端子を有し、前記二つのコイルは前記第一ヨーク、前記第二ヨーク及び前記ハウジングの前記第一殻蓋と前記第二殻蓋の間に装着され、その巻き線の先端が前記導通接続部の前記端子に別々に接続される固定子と、
磁石に伝動軸を嵌めることによって構成され、かつ前記固定子の前記第一ヨークと前記第二ヨークを貫通するため、前記固定子に対して回転することが可能である回転子と、を備えることを特徴とする、磁路干渉を減少させることを可能にするモーターの構造。
【請求項４】
前記二つのコイルは、前記ハウジングの前記第一殻蓋と前記第二殻蓋の爪部の外周に嵌合され、前記固定子の前記第一ヨークと前記第二ヨークは、前記フェンス部から一側に突出して形成されかつ前記二つのコイルに別々に嵌合される若干の爪部を有することを特徴とする、請求項３に記載の磁路干渉を減少させることを可能にするモーターの構造。
【請求項５】
前記導通接続部は、前記固定子の前記端子座の接続部に嵌合される嵌合溝を有することを特徴とする、請求項１乃至請求項４のいずれか１項に記載の磁路干渉を減少させることを可能にするモーターの構造。
【請求項６】
前記ハウジングの前記第一殻蓋は、固定溝を有し、前記第一ヨークと前記第二ヨークは前記第一殻蓋の前記固定溝に挟まる第一係止部を別々に有することを特徴とする、請求項１乃至請求項４のいずれか１項に記載の磁路干渉を減少させることを可能にするモーターの構造。
【考案の詳細な説明】
【技術分野】
【０００１】
本考案はモーターに係り、特に磁路干渉を減少させることを可能にするモーターの構造に関する。
【背景技術】
【０００２】
従来のモーター、例えばステッピングモーターは、ハウジング、回転子および固定子から構成される。ハウジングはキャップ、ケース及び軸受けまたは軸受台などの部品から構成される。回転子は永久磁石と伝動軸から構成される。固定子は巻き線軸にエナメル線を被せるため、エナメル線によって電流を流通させて電磁力を制御・駆動し、かつ電磁力によってモーターの回転を制御することが可能である。
【０００３】
しかしながら、前記固定子の構造は次の問題を抱えている。ヨークは巻き線座を貫通・固定しなければならず、ヨークの基板の部分は互いに密着するため、磁路に対する干渉を増加させる。またこれらの問題を改善可能な設計構造は非常に複雑である。従って、従来のモーターの構造は改善の余地がある。
【考案の開示】
【考案が解決しようとする課題】
【０００４】
そこで、本考案者は、上述した欠点を鑑み、研究の結果、磁路干渉を減少させることを可能にするモーターの構造を完成させた。
【０００５】
即ち、本考案の主な目的は、磁路干渉を減少させることを可能にするモーターの構造を提供することにある。本考案によるモーターの構造は、固定子の構造を改良し、隣り合うヨークのフェンス部の間に間隙を置くことによって左右二相の磁路干渉を避けるため、モーターのステッピングの精度を改善することが可能である。
【０００６】
また、本考案のもう一つの目的は、磁路干渉を減少させることを可能にするモーターの構造を提供することにある。本考案によるモーターの構造は導通接続部が単独で成型され、そののち固定子の端子座の接続部に固着されたため、射出成型によって被覆を行う際の手間を減少させることが可能なだけでなく、導磁の抵抗を減少させることも可能である。
【課題を解決するための手段】
【０００７】
上述の目的を達成するために、本考案による磁路干渉を減少させることを可能にするモーターの構造は、ハウジング、固定子、導通接続部、二つのコイル及び回転子を備える。ハウジングは第一殻蓋と第二殻蓋が合わさることによって構成され、かつ収容空間及び導通接続部の逃げ孔を有する。固定子は金属の導磁材質から構成される中空の第一ヨークと第二ヨークを有し、第一ヨークと第二ヨークは端子座の接続部、互いに間隙を置くフェンス部及びフェンス部から一側に突出して形成された若干の爪部を別々に有する。導通接続部は端子座および若干の端子を有する。二つのコイルは第一ヨーク、第二ヨーク及びハウジングの第一殻蓋と第二殻蓋の間に装着され、その巻き線の先端が導通接続部の端子に別々に接続される。回転子は磁石に伝動軸を嵌めることによって構成され、かつ固定子の第一ヨークと第二ヨークを貫通するため、固定子に対して回転することが可能である。
【考案の効果】
【０００８】
本考案に係る磁路干渉を減少させることを可能にするモーターの構造によれば、次のような効果がある。
１．本考案による磁路干渉を減少させることを可能にするモーターの構造は、固定子の構造を改良し、隣り合うヨークのフェンス部の間に間隙を置くことによって左右二相の磁路干渉を避けるため、モーターのステッピングの精度を改善することが可能である。
【０００９】
２．本考案による磁路干渉を減少させることを可能にするモーターの構造は、導通接続部３３が単独で成型され、そののち固定子の端子座の接続部に固着されため、射出成型によって被覆を行う際の手間を減少させることが可能なだけでなく、導磁の抵抗を減少させることも可能である。
【考案を実施するための最良の形態】
【００１０】
以下、図面及び実施形態に基づいて本考案の構造、特徴および効果を説明する。
図１は本考案の実施形態によるモーターの構造の断面図であり、図２は本考案の実施形態によるモーターの構造の一部分の断面図であり、図３は本考案の実施形態によるモーターの構造の一部分の立体分解図であり、図４は本考案の実施形態によるモーターの構造の別の立体分解図である。
【００１１】
図１から図４に示すのは、本考案の実施形態による磁路干渉を減少させることを可能にするモーターの構造である。本実施形態はステッピングモーターを例として説明を進める。モーターは、ハウジング１０、固定子３０及び回転子５０を備える。
【００１２】
ハウジング１０は、第一殻蓋１１と第二殻蓋１２が合わさることによって構成され、かつ収容空間を有する。第一殻蓋１１は固定溝１１１、１１２、導通接続部の逃げ孔１１３および爪部１１５を有する。第二殻蓋１２は固定溝１２１、１２２、導通接続部の逃げ孔１２３、爪部１２５、軸受け１５および固定溝１２１、１２２の外側面に締め付けられた底盤１７を有する。そのうちの第一殻蓋１１は自由端に軸受台２０を装着することによってらせん形のモーターを構成することが可能である。
【００１３】
固定子３０は、第一ヨーク３１、第二ヨーク３２、導通接続部３３および二つのコイル３５を有する。第一ヨーク３１と第二ヨーク３２は中空を呈し、金属の導磁材から構成され、かつ第一係止部３１１、３２１と第二係止部３１２、３２２と端子座の接続部３１３、３２３とフェンス部３１４、３２４と若干の爪部３１５、３２５を別々に有する。そのうちの第一係止部３１１、３２１は互いに突き当たるようにハウジング１０の固定溝１１１、１２１に挟まり、第二係止部３１２、３２２は互いに突き当たるようにハウジング１０の固定溝１１２、１２２に挟まり、フェンス部３１４、３２４は互いに間隙Ｄを置き、爪部３１５、３２５はフェンス部３１４、３２４から一側に突出して形成される。導通接続部３３は端子座３３１及び若干の端子３３３を有し、そのうちの端子座３３１は固定子３０の端子座の接続部３１３に被さる嵌合溝３３２を有する。二つのコイル３５は、第一ヨーク３１、第二ヨーク３２及びハウジング１０の第一殻蓋１１と第二殻蓋１２の間に別々に装着され、かつ第一ヨーク３１、第二ヨーク３２の爪部３１５、３２５の外周及びハウジング１０の爪部１１５、１２５の外周に別々に嵌合される。コイル３５の巻き線の先端は導通接続部３３の端子３３３に別々に接続され、かつ溶接方法によって導通接続部３３に固定される。
【００１４】
回転子５０は、磁石５１に伝動軸５３を嵌めることによって構成される。かつ回転子５０は固定子３０の第一ヨーク３１と第二ヨーク３２を貫通し、伝動軸５３は両端がハウジング１０の軸受け１５に接続されるため、回転子５０は固定子３０に対して回転することが可能である。
【００１５】
上述した部品から構成された本考案によるモーターが達成した効果は次の通りである。
本考案は、固定子３０の第一ヨーク３１と第二ヨーク３２のフェンス部３１４、３２４の間に間隙Ｄを置くことにより左右二相の磁路干渉を避けるため、モーターのステッピングの精度を改善することが可能である。
【００１６】
本考案は、導通接続部３３が単独で射出成型され、そののち固定子３０の端子座の接続部３１３に固着されため、射出成型によってヨークに被覆を行う際の手間を減少させることが可能なだけでなく、導磁の抵抗を減少させることも可能である。
【００１７】
本考案は、コイル３５が熱溶融性のある巻き線から成型されたため、巻き線軸（図示せず）を省くことが可能なだけでなく、コイル３５の巻き線空間を大きくすることが可能である。また、本考案は、第一ヨーク３１と第二ヨーク３２が真空蒸着によって処理されたため、コイル３５、第一ヨーク３１と第二ヨーク３２との間の絶縁不良を避けることが可能である。
【図面の簡単な説明】
【００１８】
【図１】本考案の実施形態によるモーターの構造の断面図
【図２】本考案の実施形態によるモーターの構造の一部分の断面図
【図３】本考案の実施形態によるモーターの構造の一部分の立体分解図
【図４】本考案の実施形態によるモーターの構造の別の立体分解図
【符号の説明】
【００１９】
１０：ハウジング、  １１：第一殻蓋、  １１１：固定溝、  １１２：固定溝、１１３：導通接続部の逃げ孔、  １１５：爪部、  １２：第二殻蓋、  １２１、固定溝、  １２２：固定溝、  １２３：導通接続部の逃げ孔、  １２５：爪部、１５：軸受け、  １７：底盤、  ２０：軸受台、  ３０：固定子、  ３１：第一ヨーク、  ３２：第二ヨーク、  ３１１：第一係止部、  ３２１：第一係止部、３１２：第二係止部、  ３２２：第二係止部、  ３１３：端子座の接続部、  ３２３：端子座の接続部、  ３１４：フェンス部、  ３２４：フェンス部、  Ｄ：間隙、  ３１５：爪部、  ３２５：爪部、  ３３：導通接続部、  ３３１：端子座、  ３３２：嵌合溝、  ３３３：端子、  ３５：コイル、  ５０：回転子、  ５１：磁石、５３：伝動軸
【図１】
0003145896.tif 000003
【図２】
0003145896.tif 000004
【図３】
0003145896.tif 000005
【図４】
0003145896.tif 000006